(57)【要約】【課題】一般住宅や集合住宅などの建物の外壁塗装時に、室内外の空気の換気ができて、室内に湿気や臭気が滞留することのない窓用養生シートを提供する。【解決手段】長尺状のシートの長手方向の複数箇所または１箇所に、断面が蛇腹状の折り返し部を形成し、該蛇腹状の折り返し部の中央上部を溶着して縦線状の溶着部を設け、蛇腹状の折り返し部の中央下部を溶着して点状の溶着部を設けた加工シートを複数枚用意し、該複数枚の加工シートを各々縦方向の上方にずらして順に載置し、全ての加工シートの両端部を各々溶着して縦線状の連結溶着部を設け、全ての加工シートを連結してブラインドカーテン状シートを形成することを特徴とする窓用養生シート。【選択図】図１
2010095984.tif 000002
【特許請求の範囲】
【請求項１】
長尺状のシート（１）の長手方向の複数箇所に断面が蛇腹状の折り返し部（２）を形成し、該蛇腹状の折り返し部（２）の各中央上部（３）を溶着して縦線状の溶着部（４）を設け、蛇腹状の折り返し部（２）の各中央下部（５）を溶着して点状の溶着部（６）を設けた加工シート（７）を複数枚用意し、該複数枚の加工シート（７）を各々縦方向（８）の上方にずらして順に載置し、全ての加工シート（７）の両端部（９）を各々溶着して縦線状の連結溶着部（１０）を設け、全ての加工シート（７）を連結してブラインドカーテン状シート（１１）を形成することを特徴とする窓用養生シート。
【請求項２】
断面が蛇腹状の折り返し部（２）を長尺状のシート（１）の長手方向の１箇所に設けた請求項１の窓用養生シート。
【発明の詳細な説明】
【技術分野】
【０００１】    本発明は、一般住宅や集合住宅などの建物の外壁塗装時に窓を覆うために用いられる、窓用養生シートに関するものである。
【背景技術】
【０００２】    従来、外壁塗装時には建物の外壁以外の場所に塗料が付着することを防止するために、養生テープと養生シートを用いて、窓全体を覆って密閉してしまうのが一般的であった。
【発明の開示】
【発明が解決しようとする課題】
【０００３】そのために、次のような問題点があった。
（イ）室内外の空気が出入できないために、使用後や清掃後の浴室に換気扇では対応しきれない湿気がこもり、かびの発生の原因となった。
（ロ）また、使用後のトイレの換気ができないために、臭気がトイレ内に長時間滞留してしまい、複数名でのトイレ利用時に不快な臭害問題があった。
（ハ）これを解決するために、窓を覆った養生シートに、室内外の空気を通気させる目的で、刃物で縦に複数の切り込みを入れる方法があるが、切り込みに塗料が上方から落下直撃した際には、塗料が浸入してしまうという問題があると共に、換気効果がほとんど得られないという問題があった。
（ニ）窓を開閉できるように養生する方法があるが、窓を開閉可能に養生するためには作業に相当な手間と時間を要するという問題があり、さらに、いつ上方から塗料が落ちてくるか分からないために、塗装作業中は窓を開けておくことができないという問題があった。
（ホ）以上のようなことから、建物の外壁塗装工事の期間中は、室内に湿気や臭気が滞留して不快な状況で過ごさなければならないという問題があったが、建物の保護と美化のために我慢を強いられていた。本発明は、これらの問題点を解決するためになされたものである。
【課題を解決するための手段】
【０００４】（イ）長尺状のシート（１）の長手向の複数箇所に蛇腹状の折り返し部（２）を形成する。
（ロ）該蛇腹状の折り返し部（２）の各中央上部（３）を溶着して縦線状の溶着部（４）を設け、蛇腹状の折り返し部（２）の各中央下部（５）を溶着して点状の溶着部（６）を設けた加工シート（７）を複数枚用意する。
（ハ）該複数枚の加工シート（７）を各々縦方向（８）の上方にずらして順に載置し、全ての加工シート（７）の両端部（９）を各々溶着して縦線状の連結溶着部（１０）を設け、全ての加工シート（７）を連結してブラインドカーテン状シート（１１）を形成する。
以上を特徴とする窓用養生シートである。
【発明の効果】
【０００５】ブラインドカーテン状シートの周囲を養生テープで窓または窓の一部に貼付し、各加工シートの蛇腹状の折り返し部の下部の溶着だけを剥がし、蛇腹状の折り返しを伸ばして加工シートを傘状に広げることによって、各加工シートの下方に複数の開口部ができるため、上方から落ちてくる塗料は侵入できないが、空気は開口部から自由に出入することができるので、塗装作業中であっても室内外の空気の換気ができて、室内に湿気や臭気が滞留することがなくなり、塗装期間中の不快な状況が解消されるとともに、冷房装置のない夏季の室内温度の低下が図れる。
【発明を実施するための最良の形態】
【０００６】  以下、本発明の実施の形態について説明する。
（イ）長尺状のシート（１）の長手方向の複数箇所に断面が蛇腹状の折り返し部（２）を形成する。
（ロ）該蛇腹状の折り返しを保持するために、蛇腹状の折り返し部（２）の各中央上部（３）を溶着して縦線状の溶着部（４）を設け、蛇腹状の折り返し部（２）の各中央下部（５）を溶着して点状の溶着部（６）を設けた加工シート（７）を複数枚用意する。
（ハ）該複数枚の加工シート（７）を各々縦方向（８）の上方にずらして順に載置し、全ての加工シート（７）の両端部（９）を各々溶着して縦線状に連結溶着部（１０）を設け、全ての加工シート（７）を連結してブラインドカーテン状シート（１１）を形成する。
（ニ）従来の養生シート（１２）で窓（１３）を覆って、ブラインドカーテン状シート（１１）の幅に合わせてその一部を切り取り、必要な長さに切断したブラインドカーテン状シート（１１）の四方を養生テープ（１４）で切り取った箇所に貼付する。
（ホ）その際最初に、適した長さに切断したブラインドカーテン状シート（１１）を、窓（１３）に養生テープ（１４）で四方を貼付した後、窓（１３）の覆われていない箇所に従来の養生シート（１２）を貼付してもよい。
（ヘ）ブラインドカーテン状シート（１１）の各蛇腹状の折り返し部（２）の中央下部を溶着した点状の溶着部（６）を手で引っ張って剥がし、溶着を解除する。
（ト）点状の溶着部（６）はブラインドカーテン状シート（１１）の梱包運搬性、貼付作業性を向上させるために設けたものであるので、溶着の代わりにテープ等によって固定してもかまわない。
（チ）溶着を解除した蛇腹状の折り返し部（２）の中央下部の蛇腹状の折り返しを手で開いて伸ばし、各加工シート（７）の下部を傘状（１５）に広げる。
（リ）ブラインドカーテン状シート（１１）を構成する加工シート（７）の下辺（１８）の両端は、連結溶着部（１０）によって他の加工シート（７）の上辺（１９）の両端と連結溶着されているために、蛇腹状の折り返し部（２）の中央下部を溶着した点状の溶着部（６）の解除によって、加工シート（７）の上程よりも長くなった下程の余った長さは、左右及び後方に広がることができないために前方に飛び出すしかなく、長尺状のシート（１）が薄い材料であっても、風等が吹いた際にも傘状（１５）が保持される。
（ヌ）以上によって、ブラインドカーテン状シート（１１）を構成する各加工シート（７）の傘状（１５）下方に複数の開口部（１６）ができるため、常にブラインドカーテンを半分開けたような状態（１７）を形成でき、上方から落ちてくる塗料は侵入できないが、空気は開口部（１６）から自由に出入することができるので、塗装作業中であっても室内外の空気の換気ができて、室内に湿気や臭気が滞留することがなくなり、外壁塗装期間中であっても不快な状況が解消されて、通常に近い快適な生活を過ごすことができる。また、冷房装置のない夏季の室内は空気の入れ替えによる温度低下が図れる。
（ル）長尺状のシート（１）の材料は、接着剤等を用いることなく各部が熱溶着等で溶着でき、薄く軽く安価なポリエチレン、ポリプロピレンまたは塩化ビニル等が望ましい。また、長尺状のシート（１）の長手方向の複数箇所に形成した蛇腹状の折り返し部（２）及び縦線状の溶着部（４）と点状の溶着部（６）は、図９、図１０、図１１、図１２に示すように、長尺状シート（１）の長手方向の１箇所に形成しても良い。尚、ブラインドカーテン状シート（１１）を構成する加工シート（７）は、蛇腹状の折り返し部（２）を長手方向の複数箇所に形成した加工シート（７）と、蛇腹状の折り返し部（２）を長手方向の１箇所に形成した加工シート（２０）とを交互に組み合わせて載置しても良い。
【図面の簡単な説明】
【０００７】
【図１】本発明の蛇腹状折り返し部２箇所のブラインドカーテン状シートの斜視図
【図２】同上加工シートの斜視図
【図３】同上加工シートの縦断面図
【図４】同上ブラインドカーテン状シートの連結前の載置方法を示す斜視図
【図５】同上ブラインドカーテン状シートの窓貼付状態を示す正面図
【図６】同上ブラインドカーテン状シートの窓貼付使用例を示す斜視図
【図７】同上使用例開口部の拡大斜視図
【図８】同上使用例開口部の断面図
【図９】本発明の蛇腹状折り返し部１箇所のブラインドカーテン状シートの斜視図
【図１０】同上加工シートの斜視図
【図１１】同上加工シートの縦断面図
【図１２】同上ブラインドカーテン状シートの窓貼付使用例を示す斜視図
【符号の説明】
【０００８】１    長尺シート
２    蛇腹状の折り返し部
３    中央上部
４    縦線状の溶着部
５    中央下部
６    点状の溶着部
７    加工シート
８    縦方向
９    両端部
１０  連結溶着部
１１  ブラインドカーテン状シート
１２  従来の養生シート
１３  窓
１４  養生テープ
１５  傘状
１６  開口部
１７  ブラインドカーテンを半分開けたような状態
１８  下辺
１９  上辺
２０  加工シート
【図１】
2010095984.tif 000003
【図２】
2010095984.tif 000004
【図３】
2010095984.tif 000005
【図４】
2010095984.tif 000006
【図５】
2010095984.tif 000007
【図６】
2010095984.tif 000008
【図７】
2010095984.tif 000009
【図８】
2010095984.tif 000010
【図９】
2010095984.tif 000011
【図１０】
2010095984.tif 000012
【図１１】
2010095984.tif 000013
【図１２】
2010095984.tif 000014